【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
第１端末と、前記第１端末とは異なる第２端末と、前記第１端末と前記第２端末との通信を中継するサーバとのシステムによって実行されるプログラムであって、
前記第１端末によって、
メッセージアプリケーションにより、前記第１端末の第１表示部に画像を表示することと、
前記画像に関連する情報を前記第１端末の第１通信部によって前記サーバに送信することとが実行され、
前記サーバによって、
前記画像に関する情報を前記第１端末から前記サーバの通信部によって受信することと、
前記画像に関する情報を前記サーバの前記通信部によって前記第２端末に送信することとが実行され、
前記第２端末によって、
前記画像に関する情報を前記第２端末の第２通信部によって前記サーバから受信することと、
前記画像に関する情報に関連付けられた、前記画像を表示する向きに関する方向情報に基づいて、前記第１表示部に表示された前記画像に対して左右の向きが反転された前記画像を前記第２端末の第２表示部に、前記メッセージアプリケーションにより表示することとが実行される。
【請求項２】
請求項１に記載のプログラムであって、
前記第１表示部と前記第２表示部とは、第１表示領域と、前記第１表示領域とは異なる第２表示領域とを有し、
前記画像は、前記第１表示部の第１領域に前記メッセージアプリケーションによって表示され、
左右の向きが反転された前記画像は、前記第２表示部の第２表示領域に前記メッセージアプリケーションによって表示される。
【請求項３】
請求項２に記載のプログラムであって、
前記第２端末によって、
前記第２端末のユーザによって入力されたメッセージを前記サーバに前記第２通信部によって送信することと、
前記メッセージを第２表示部の前記第１表示領域に表示することとが実行され、
前記サーバによって、
前記サーバの前記通信部によって前記第２端末から前記メッセージを受信することと、
前記サーバの前記通信部によって前記第１端末に前記メッセージを送信することとが実行され、
前記第１端末によって、
前記メッセージを前記第１通信部によって前記サーバから受信することと、
前記メッセージを前記第１表示部の前記第２表示領域に表示することとが実行される。
【請求項４】
請求項１から請求項３のいずれか一項に記載のプログラムであって、
前記サーバによって、
前記画像に関する情報に前記方向情報が関連付けられている場合、前記画像の左右を反転させて前記サーバの前記通信部によって前記第２端末に送信することが実行される。
【請求項５】
請求項１から請求項４のいずれか一項に記載のプログラムであって、
前記第２端末によって、
前記画像に関する情報に前記方向情報が関連付けられている場合、前記画像の左右を反転させて前記第２表示部に表示することが実行される。
【請求項６】
請求項１から請求項５のいずれか一項に記載のプログラムであって、
前記画像は、第１画像であり、
前記第２端末によって、
前記第２表示部に表示された、前記第１画像とは異なる第２画像に対する左右の反転に関する入力に基づいて、前記第２画像の左右を反転させて表示したことを示す反転情報を前記サーバに前記第２通信部によって送信することが実行され、
前記サーバによって、
前記反転情報に基づいて、前記第２画像の前記方向情報を変更することが実行される。
【請求項７】
請求項６に記載のプログラムであって、
前記第２画像の前記方向情報は、前記第２画像に対する入力に基づき受信された前記反転情報の数が所定数以上になった場合、変更される。
【請求項８】
請求項１から請求項７のいずれか一項に記載のプログラムであって、
前記画像に関する情報は、前記画像のデータである。
【請求項９】
第１端末と、前記第１端末とは異なる第２端末と、前記第１端末と前記第２端末との通信を中継するサーバとのシステムの情報処理方法であって、
メッセージアプリケーションにより、前記第１端末の第１表示部に画像を表示することと、
前記画像に関連する情報を前記第１端末の第１通信部によって前記サーバに送信することと、
前記画像に関する情報を前記第１端末から前記サーバの通信部によって受信することと、
前記画像に関する情報を前記サーバの前記通信部によって前記第２端末に送信することと、
前記画像に関する情報を前記第２端末の第２通信部によって前記サーバから受信することと、
前記画像に関する情報に関連付けられた、前記画像を表示する向きに関する方向情報に基づいて、前記第１表示部に表示された前記画像に対して左右の向きが反転された前記画像を前記第２端末の第２表示部に、前記メッセージアプリケーションにより表示することとを含む。
【請求項１０】
第１端末と、前記第１端末とは異なる第２端末と、前記第１端末と前記第２端末との通信を中継するサーバとのシステムであって、
前記第１端末は、
メッセージアプリケーションにより、画像を表示する第１表示部と、
前記画像に関連する情報を前記サーバに送信する第１通信部とを備え、
前記サーバは、
前記画像に関する情報を前記第１端末から受信し、前記画像に関する情報を前記第２端末に送信する第３通信部とを備え、
前記第２端末は、
前記画像に関する情報を前記サーバから受信する第２通信部と、
前記画像に関する情報に関連付けられた、前記画像を表示する向きに関する方向情報に基づいて、前記第１表示部に表示された前記画像に対して左右の向きが反転された前記画像を表示する第２表示部とを備え、
左右の向きが反転された前記画像は、前記メッセージアプリケーションによって前記第２表示部に表示される。
【請求項１１】
メッセージアプリケーションにより画像を第１表示部に表示する第１端末と、前記第１端末とは異なる第２端末と、前記第１端末と前記第２端末との通信を中継するサーバとのシステムの前記第２端末によって実行されるプログラムであって、
前記第２端末によって、
前記第１端末から送信された前記画像に関する情報を前記第２端末の通信部によって前記サーバから受信することと、
前記画像に関する情報に関連付けられた、前記画像を表示する向きに関する方向情報に基づいて、前記第１端末の前記第１表示部に表示された前記画像に対して左右の向きが反転された前記画像を前記第２端末の第２表示部に、前記メッセージアプリケーションにより表示することとが実行される。
【請求項１２】
請求項１１に記載のプログラムであって、
前記第１表示部と前記第２表示部とは、第１表示領域と、前記第１表示領域とは異なる第２表示領域とを有し、
前記画像は、前記第１表示部の第１領域に前記メッセージアプリケーションによって表示され、
左右の向きが反転された前記画像は、前記第２表示部の第２表示領域に前記メッセージアプリケーションによって表示される。
【請求項１３】
請求項１２に記載のプログラムであって、
前記第２端末によって、
前記第２端末のユーザによって入力されたメッセージを前記サーバに前記通信部によって送信することと、
前記メッセージを第２表示部の前記第１表示領域に表示することとが実行され、
前記メッセージは、前記第１表示部の前記第２表示領域に表示される。
【請求項１４】
メッセージアプリケーションにより画像を第１表示部に表示する第１端末と、前記第１端末とは異なる第２端末と、前記第１端末と前記第２端末との通信を中継するサーバとのシステムの前記第２端末の情報処理方法であって、
前記第１端末から送信された前記画像に関する情報を前記第２端末の通信部によって前記サーバから受信することと、
前記画像に関する情報に関連付けられた、前記画像を表示する向きに関する方向情報に基づいて、前記第１端末の前記第１表示部に表示された前記画像に対して左右の向きが反転された前記画像を前記第２端末の第２表示部に、前記メッセージアプリケーションにより表示することとを含む。
【請求項１５】
メッセージアプリケーションにより画像を第１表示部に表示する第１端末と、前記第１端末とは異なる第２端末と、前記第１端末と前記第２端末との通信を中継するサーバとのシステムの前記第２端末であって、
前記第１端末から送信された前記画像に関する情報を前記サーバから受信する通信部と、
前記画像に関する情報に関連付けられた、前記画像を表示する向きに関する方向情報に基づいて、前記第１表示部に表示された前記画像に対して左右の向きが反転された前記画像を表示する第２表示部とを備え、
左右の向きが反転された前記画像は、前記メッセージアプリケーションによって前記第２表示部に表示される。
【手続補正２】
【補正対象書類名】明細書
【補正対象項目名】０００７
【補正方法】変更
【補正の内容】
【０００７】
上述の問題を解決すべく、本発明に係るシステムのプログラムは、第１端末と、第１端末とは異なる第２端末と、第１端末と第２端末との通信を中継するサーバとのシステムによって実行されるプログラムであって、第１端末によって、メッセージアプリケーションにより、第１端末の第１表示部に画像を表示することと、画像に関連する情報を第１端末の第１通信部によってサーバに送信することとが実行され、サーバによって、画像に関する情報を第１端末からサーバの通信部によって受信することと、画像に関する情報をサーバの通信部によって第２端末に送信することとが実行され、第２端末によって、画像に関する情報を第２端末の第２通信部によってサーバから受信することと、画像に関する情報に関連付けられた、画像を表示する向きに関する方向情報に基づいて、第１表示部に表示された画像に対して左右の向きが反転された画像を第２端末の第２表示部に、メッセージアプリケーションにより表示することとが実行される。
【手続補正３】
【補正対象書類名】明細書
【補正対象項目名】０００８
【補正方法】変更
【補正の内容】
【０００８】
上記プログラムにおいて、第１表示部と第２表示部とは、第１表示領域と、第１表示領域とは異なる第２表示領域とを有し、画像は、第１表示部の第１領域にメッセージアプリケーションによって表示され、左右の向きが反転された画像は、第２表示部の第２表示領域にメッセージアプリケーションによって表示されることとしてもよい。
【手続補正４】
【補正対象書類名】明細書
【補正対象項目名】０００９
【補正方法】変更
【補正の内容】
【０００９】
上記プログラムにおいて、第２端末によって、第２端末のユーザによって入力されたメッセージをサーバに第２通信部によって送信することと、メッセージを第２表示部の第１表示領域に表示することとが実行され、サーバによって、サーバの通信部によって第２端末からメッセージを受信することと、サーバの通信部によって第１端末にメッセージを送信することとが実行され、第１端末によって、メッセージを第１通信部によってサーバから受信することと、メッセージを第１表示部の第２表示領域に表示することとが実行されることとしてもよい。
【手続補正５】
【補正対象書類名】明細書
【補正対象項目名】００１０
【補正方法】変更
【補正の内容】
【００１０】
上記プログラムにおいて、サーバによって、画像に関する情報に方向情報が関連付けられている場合、画像の左右を反転させてサーバの通信部によって第２端末に送信することが実行されることとしてもよい。
【手続補正６】
【補正対象書類名】明細書
【補正対象項目名】００１１
【補正方法】変更
【補正の内容】
【００１１】
上記プログラムにおいて、第２端末によって、画像に関する情報に方向情報が関連付けられている場合、画像の左右を反転させて第２表示部に表示することが実行されることとしてもよい。
【手続補正７】
【補正対象書類名】明細書
【補正対象項目名】００１２
【補正方法】変更
【補正の内容】
【００１２】
上記プログラムにおいて、画像は、第１画像であり、第２端末によって、第２表示部に表示された、第１画像とは異なる第２画像に対する左右の反転に関する入力に基づいて、第２画像の左右を反転させて表示したことを示す反転情報をサーバに第２通信部によって送信することが実行され、サーバによって、反転情報に基づいて、第２画像の方向情報を変更することが実行されることとしてもよい。
【手続補正８】
【補正対象書類名】明細書
【補正対象項目名】００１３
【補正方法】変更
【補正の内容】
【００１３】
上記プログラムにおいて、第２画像の方向情報は、第２画像に対する入力に基づき受信された反転情報の数が所定数以上になった場合、変更されることとしてもよい。
【手続補正９】
【補正対象書類名】明細書
【補正対象項目名】００１４
【補正方法】変更
【補正の内容】
【００１４】
上記プログラムにおいて、画像に関する情報は、画像のデータであることとしてもよい。
【手続補正１０】
【補正対象書類名】明細書
【補正対象項目名】００１５
【補正方法】変更
【補正の内容】
【００１５】
また、本発明に係るシステムの情報処理方法は、第１端末と、第１端末とは異なる第２端末と、第１端末と第２端末との通信を中継するサーバとのシステムの情報処理方法であって、メッセージアプリケーションにより、第１端末の第１表示部に画像を表示することと、画像に関連する情報を第１端末の第１通信部によってサーバに送信することと、画像に関する情報を第１端末からサーバの通信部によって受信することと、画像に関する情報をサーバの通信部によって第２端末に送信することと、画像に関する情報を第２端末の第２通信部によってサーバから受信することと、画像に関する情報に関連付けられた、画像を表示する向きに関する方向情報に基づいて、第１表示部に表示された画像に対して左右の向きが反転された画像を第２端末の第２表示部に、メッセージアプリケーションにより表示することとを含む。
【手続補正１１】
【補正対象書類名】明細書
【補正対象項目名】００１６
【補正方法】変更
【補正の内容】
【００１６】
また、本発明に係るシステムは、第１端末と、第１端末とは異なる第２端末と、第１端末と第２端末との通信を中継するサーバとのシステムであって、第１端末は、メッセージアプリケーションにより、画像を表示する第１表示部と、画像に関連する情報をサーバに送信する第１通信部とを備え、サーバは、画像に関する情報を第１端末から受信し、画像に関する情報を第２端末に送信する第３通信部とを備え、第２端末は、画像に関する情報をサーバから受信する第２通信部と、画像に関する情報に関連付けられた、画像を表示する向きに関する方向情報に基づいて、第１表示部に表示された画像に対して左右の向きが反転された画像を表示する第２表示部とを備え、左右の向きが反転された画像は、メッセージアプリケーションによって第２表示部に表示される。
【手続補正１２】
【補正対象書類名】明細書
【補正対象項目名】００１７
【補正方法】変更
【補正の内容】
【００１７】
また、本発明に係るプログラムは、メッセージアプリケーションにより画像を第１表示部に表示する第１端末と、第１端末とは異なる第２端末と、第１端末と第２端末との通信を中継するサーバとのシステムの第２端末によって実行されるプログラムであって、第２端末によって、第１端末から送信された画像に関する情報を第２端末の通信部によってサーバから受信することと、画像に関する情報に関連付けられた、画像を表示する向きに関する方向情報に基づいて、第１端末の第１表示部に表示された画像に対して左右の向きが反転された画像を第２端末の第２表示部に、メッセージアプリケーションにより表示することとが実行される。
【手続補正１３】
【補正対象書類名】明細書
【補正対象項目名】００１８
【補正方法】変更
【補正の内容】
【００１８】
上記プログラムにおいて、第１表示部と第２表示部とは、第１表示領域と、第１表示領域とは異なる第２表示領域とを有し、画像は、第１表示部の第１領域にメッセージアプリケーションによって表示され、左右の向きが反転された画像は、第２表示部の第２表示領域にメッセージアプリケーションによって表示されることとしてもよい。
【手続補正１４】
【補正対象書類名】明細書
【補正対象項目名】００１９
【補正方法】変更
【補正の内容】
【００１９】
上記プログラムにおいて、第２端末によって、第２端末のユーザによって入力されたメッセージをサーバに通信部によって送信することと、メッセージを第２表示部の第１表示領域に表示することとが実行され、メッセージは、第１表示部の第２表示領域に表示される。
【手続補正１５】
【補正対象書類名】明細書
【補正対象項目名】００２０
【補正方法】変更
【補正の内容】
【００２０】
また、本発明に係る情報処理方法は、メッセージアプリケーションにより画像を第１表示部に表示する第１端末と、第１端末とは異なる第２端末と、第１端末と第２端末との通信を中継するサーバとのシステムの第２端末の情報処理方法であって、第１端末から送信された画像に関する情報を第２端末の通信部によってサーバから受信することと、画像に関する情報に関連付けられた、画像を表示する向きに関する方向情報に基づいて、第１端末の第１表示部に表示された画像に対して左右の向きが反転された画像を第２端末の第２表示部に、メッセージアプリケーションにより表示することとを含む。
【手続補正１６】
【補正対象書類名】明細書
【補正対象項目名】００２１
【補正方法】変更
【補正の内容】
【００２１】
また、本発明に係る端末は、メッセージアプリケーションにより画像を第１表示部に表示する第１端末と、第１端末とは異なる第２端末と、第１端末と第２端末との通信を中継するサーバとのシステムの第２端末であって、第１端末から送信された画像に関する情報をサーバから受信する通信部と、画像に関する情報に関連付けられた、画像を表示する向きに関する方向情報に基づいて、第１表示部に表示された画像に対して左右の向きが反転された画像を表示する第２表示部とを備え、左右の向きが反転された画像は、メッセージアプリケーションによって第２表示部に表示される。